(57)【要約】【課題】ネットワークを利用したＣＡＤ試験を実施するＣＡＤ試験システムを提供する。【解決手段】試験サーバから試験端末にネットワークにより試験データを配信し、試験端末が解答データを返送すると、試験サーバが採点結果を試験端末に送信するＣＡＤ試験システムにおいて、試験サーバは、ＣＡＤツールの所定のライセンスキーを含む試験データを試験端末に送信する試験データ送信手段と、試験データの送信から解答データを受信するときまでの所定時間を計算する試験時間計算手段と、所定時間内に解答データを受信したときには所定のライセンスキーにより作成された解答データか否かを判断する解答データ判断手段と、解答データが所定のライセンスキーに基づいて作成されているときにはＣＡＤツールにより作成されたデータを模範解答と照合し、照合された結果に基づいて自動採点するＣＡＤデータ自動採点手段を有する構成である。【選択図】図１
2005092293.tif 000002
【特許請求の範囲】
【請求項１】
試験サーバから試験端末にネットワークにより試験データを配信し、試験端末が試験サーバに解答データを返送すると、試験サーバが採点した結果を試験端末に送信するＣＡＤ試験システムにおいて、
ＣＡＤツールの所定のライセンスキーを含む試験データを、試験端末に送信する試験データ送信手段と、
試験データの送信から解答データを受信するときまでの所定時間を計算する試験時間計算手段と、
所定時間内に解答データを受信したときには、所定のライセンスキーにより作成された解答データか否かを判断する解答データ判断手段と、
解答データが所定のライセンスキーに基づいて作成されているときには、ＣＡＤツールにより作成されたデータを模範解答と照合し、照合された結果に基づいて自動採点するＣＡＤデータ自動採点手段とを有することを特徴とする試験サーバ。
【請求項２】
ＣＡＤデータ自動採点手段は、ＣＡＤツールによる設計用コマンドパラメータの履歴が残るＣＡＤツールのときには、解答データの操作履歴および作成された形状データを模範解答と照合して自動採点することを特徴とする請求項１記載のＣＡＤ試験システム。
【請求項３】
試験サーバから試験端末にネットワークにより試験データを配信し、試験端末が試験サーバに解答データを返送すると、試験サーバが採点した結果を試験端末に送信するＣＡＤ試験システムにおいて、
試験サーバからＣＡＤツールのライセンスキーを含む試験データを受信する試験データ受信手段と、
受信したライセンスキーを基に、ＣＡＤツールのロックを解除するＣＡＤツールロック解除手段と、
解除されたＣＡＤツールにより、解答データを作成する解答データ作成手段と、
作成された解答データをライセンスキー情報とともに送信する解答データ送信手段とを有することを特徴とする試験端末。
【請求項４】
試験データを受信すると、所定時間の計測を開始する試験時間計測手段と、
所定時間が経過すると、ライセンスキーを取り消し、ＣＡＤツールのロックをするＣＡＤツールロック手段を有することを特徴とする請求項３記載の試験端末。
【請求項５】
試験サーバから試験端末にネットワークにより試験データを配信し、試験端末が試験サーバに解答データを返送すると、試験サーバが採点した結果を試験端末に送信するＣＡＤ試験システムにおいて、
ＣＡＤツールの所定のライセンスキーを含む試験データを、試験端末に送信する試験データ送信手段と、
試験データの送信から解答データを受信するときまでの所定時間を計算する試験時間計算手段と、
所定時間内に解答データを受信したときには、所定のライセンスキーにより作成された解答データか否かを判断する解答データ判断手段と、
解答データが所定のライセンスキーに基づいて作成されているときには、ＣＡＤツールにより作成された形状データを模範解答と照合し、照合された結果に基づいて自動採点するＣＡＤデータ自動採点手段とを有する試験サーバと、
試験サーバからＣＡＤツールのライセンスキーを含む試験データを受信する試験データ受信手段と、
受信したライセンスキーを基に、ＣＡＤツールのロックを解除するＣＡＤツールロック解除手段と、
解除されたＣＡＤツールにより、解答データを作成する解答データ作成手段と、
作成された解答データをライセンスキー情報とともに送信する解答データ送信手段とを有する試験端末とを備えたことを特徴とするＣＡＤ試験システム。
【発明の詳細な説明】
【技術分野】
【０００１】
本発明は、インターネットなどのネットワークを利用して、ＣＡＤ試験を行う試験サーバ、試験端末、ＣＡＤ試験システムに関する。
【背景技術】
【０００２】
従来、ｅラーニングを活用してＣＡＤ教育を行う場合、各ＣＡＤツールについてのコマンドの操作方法や各機能の応用方法などを文書や図解をデータベースとして教育を行い、かつ実際のＣＡＤを操作しながら、学習を進めている。
【０００３】
ｅラーニングで学習することは、集合教育とは違い、自席で各自の自由な時間でできるため、時間の有効活用、出張などの経費節減の点でも有効な手段である。
【０００４】
そのため、近年、ｅラーニングによる教育や試験をインターネットを利用して行うシステムが増加している。
【０００５】
例えば、特開平１０−２８８９４１号公報では、インターネット上で、模擬テストなどの試験問題を配信し、試験スタートともに時間を計測して、試験終了時間とともに、試験をシャットダウンするインターネット試験システムを提示している。
【０００６】
また、特開２００１−２５６３１４では、インターネットを利用した通信教育において、試験の解答を自動採点する方法を提示している。
【特許文献１】特開平１０−２８８９４１号公報、特開２００１−２５６３１４号公報
【発明の開示】
【発明が解決しようとする課題】
【０００７】
しかし、従来のインターネットなどのネットワークを利用したｅラーニングでは、学習効果を確認する手段として、確認テストをｅラーニングの中で行っているが、筆記試験だけで済む内容、たとえば操作手順や機能の名前、内容などであれば問題ないが、実技を伴うＣＡＤ試験では、ｅラーニングによるネットワークシステムとＣＡＤとが連携していないため実技試験の実施が難しいのが現状である。
【０００８】
そのため、受験者は特定の場所に集合させられて実技試験を受けるか、課題として与えられた問題に対する解答を作成して、所定の期間内に主催者に提出するかのいずれかの方法がとられている。
【０００９】
しかし、特定の場所に受験者を集合して試験を受けるのは、受験者にとっては、ｅラーニングのメリットが享受できず負担となる。
【００１０】
また、課題として与えられた問題に対する解答を作成して所定の期間内に主催者に提出する方法では、主催者にとっては、不正な手段による解答が行われる恐れがあるため、例えば、ＣＡＤ技術の認定試験等の受験者の技術を評価する試験方法としては、採用することが困難となる。
【００１１】
また、主催者側としても、実技試験の採点を採点者が手入力で行っているため、手間がかかるとともに、画一的な評価を下すのは難しいという問題もある。
【００１２】
本発明の目的は、ネットワークを利用してＣＡＤの実技試験を含むＣＡＤ試験を行う試験サーバ、試験端末、ＣＡＤ試験システムを提供することにある。
【課題を解決するための手段】
【００１３】
本発明のＣＡＤ試験システムは、試験サーバから試験端末にネットワークにより試験データを配信し、試験端末が試験サーバに解答データを返送すると、試験サーバが採点した結果を試験端末に送信するＣＡＤ試験システムであって、ＣＡＤツールの所定のライセンスキーを含む試験データを、試験端末に送信する試験データ送信手段と、試験データの送信から解答データを受信するときまでの所定時間を計算する試験時間計算手段と、所定時間内に解答データを受信したときには、所定のライセンスキーにより作成された解答データか否かを判断する解答データ判断手段と、解答データが所定のライセンスキーに基づいて作成されているときには、ＣＡＤツールにより作成された形状データを模範解答と照合し、照合された結果に基づいて、自動採点するＣＡＤデータ自動採点手段とを有する試験サーバと、試験サーバからＣＡＤツールのライセンスキーを含む試験データを受信する試験データ受信手段と、受信したライセンスキーを基に、ＣＡＤツールのロックを解除するＣＡＤツールロック解除手段と、解除されたＣＡＤツールにより、解答データを作成する解答データ作成手段と、作成された解答データをライセンスキー情報とともに送信する解答データ送信手段とを有する試験端末とを備えた構成である。
【００１４】
この構成により、試験端末は、CADツールを所定のライセンスキーでのみ動作させることにより、不正な方法で作成される解答を減少させたCAD試験を実施できる。一方、試験サーバは、所定の試験時間内に、所定のライセンスキーによりロックが解除されるＣＡＤツールのみで作成された実技試験結果データを採点するため、不正な方法で作成された解答を減少させるとともに、対応するＣＡＤツールで予め作成してある模範解答と自動照合による自動採点をすることができるので、採点者によって偏ることのない定量的な評価を行うことが可能である。
【００１５】
また、本発明の試験サーバのＣＡＤデータ自動採点手段は、ＣＡＤツールによる設計用コマンドパラメータの履歴が残るＣＡＤツールのときには、解答データの操作履歴および作成された形状データを模範解答と照合して自動採点する構成である。
【００１６】
この構成によりＣＡＤデータの採点について詳細な部分に渡る自動採点が可能となる。
【００１７】
また、本発明の試験端末は、試験データを受信すると、所定時間の計測を開始する試験時間計測手段と、所定時間が経過すると、ライセンスキーを取り消し、ＣＡＤツールのロックをするＣＡＤツールロック手段を有する構成である。
【００１８】
この構成により、制限された時間内で試験を行うため、さらに不正な方法で作成される解答を減少できる。
【発明の効果】
【００１９】
本発明を用いたＣＡＤ試験システムにより、インターネット等のネットワークを利用したＣＡＤ試験が可能となる。  
【発明を実施するための最良の形態】
【００２０】
【実施例１】
【００２１】
図1に実施例のＣＡＤ試験システムの構成図を示す。
【００２２】
ＣＡＤ試験システム１は、試験端末２と試験サーバ３とを有する。
【００２３】
試験端末２は、送受信処理部２１、ファイル格納部２２、ＣＡＤツール２３、試験処理部２４、ログ生成処理部２５、認証入力処理部２６、時間計測処理部２７を有する。
【００２４】
送受信処理部２１は、試験端末２の送受信制御を行う。
【００２５】
ファイル格納部２２は、試験サーバ３から受信した問題データおよび解答用指定ファイル、ライセンスキー、ログ情報等を格納する。
【００２６】
ＣＡＤツール２３は、ライセンスキーでロックを解除する構造設計等に使用されるＣＡＤソフトである。
【００２７】
試験処理部２４は、試験端末２の全体の制御を行う。
【００２８】
ログ生成処理部２５は、解答時間など試験についての統計情報に使用するデータを生成する。
【００２９】
認証入力処理部２６は、受験者の本人確認のための認証入力を制御する。
【００３０】
時間計測処理部２７は、試験端末２側での試験時間の計測制御を行う。
【００３１】
試験サーバ３は、回線処理部３１、試験時間管理部３２、認証処理部３３、問題処理部３４、ログ取得処理部３５、自動採点処理部３６を有する。
【００３２】
回線処理部３１は、試験サーバ３の送受信制御を行う。
【００３３】
試験時間管理部３２は、試験データの送信から解答データの受信を計測して、試験時間を管理する。
【００３４】
認証処理部３３は、受験者の認証処理を行う。
【００３５】
問題処理部３４は、試験処理全体の制御を行う。
【００３６】
ログ取得処理部３５は、試験を開始した受験者のログを取得する。
【００３７】
自動採点処理部３６は、解答データをＣＡＤツールに対応した模範解答と照合して、採点を実施する。
【００３８】
図２に実施例のＣＡＤ試験システムの処理の流れ図を示す。
【００３９】
まず、試験端末２で、試験サーバ３と接続する。
【００４０】
試験サーバ３の問題処理部３４は、試験端末２からの試験開始要求を受信すると、認証入力を要求する画面と問題選択画面を送付する。試験端末２がそのデータを受信すると、試験処理部２４が画面表示を行う。
【００４１】
受験者が、試験端末２のその画面に端末ＩＤ(識別番号)、パスワード、問題の選択を入力し送信キーを押下すると、試験処理部２４は、そのデータをネットワークを経由して試験サーバ３に送信する（Ｓ１ステップ）。
【００４２】
試験サーバ３は、試験端末２から認証データ等を受け取ると、認証処理部３３により、予め登録されている受験者名簿の登録内容と一致しているかが確認される。
【００４３】
一致している場合には、問題処理部３４が受験者により選択された問題の試験データを試験端末２に送信する。
【００４４】
認証データに該当するデータが登録されていないときには、問題処理部３４は、認証エラーの通知を試験端末２に送信する。
【００４５】
また、試験データを試験端末２に送信するとともに試験時間管理部３２により試験時間の計測が開始される。
【００４６】
またログ取得処理部３５により、ログファイルに誰がいつ試験データをダウンロードしたかが格納される（Ｓ２１ステップ）。
【００４７】
試験データには、問題内容を示した問題データのファイルと、ＣＡＤツールのライセンスキーを含む解答用の指定ファイルが同封されている。
【００４８】
試験端末２は、試験データを受信する（Ｓ２ステップ）と、一旦、試験データをファイル格納部２２に格納する。
【００４９】
次に、受験者が試験を開始するため、試験端末２で、試験データのファイルのオープンの要求をすると、認証入力処理部２６により、認証入力画面が表示されるので、受験者は、認証入力を行う（Ｓ３ステップ）。
【００５０】
認証入力処理部２６により、その内容が正しいと判断されると、試験処理部２４は、ライセンスキーをファイル格納部２２から入手し、ＣＡＤツールを使用許可とするための接続をする。
【００５１】
ＣＡＤツールが使用可能となると、試験処理部２４は、試験問題および解答用の画面を表示する。  
【００５２】
次に、受験者は、問題を見て、解答の入力を開始する。ＣＡＤツールと接続しているため、ＣＡＤに関する知識のみの試験ではなく、実技試験も可能である。
【００５３】
試験問題および解答用の画面を表示するとともに、試験端末２の時間計測処理部２７は、解答時間の計測を始める（Ｓ４ステップ）。
【００５４】
これは、解答作成の制限時間を決めるものである。
【００５５】
次に、試験端末２の試験処理部２４は、時間計測処理部２７により計測されている解答時間が経過しているかのチェックを行う（Ｓ５ステップ）。
【００５６】
解答時間が経過している場合には、解答用の指定ファイルを強制終了し、ログ生成処理部２５により取得されている解答作成時間などを付加してそのファイルをファイル格納部２２に格納し、ＣＡＤライセンス使用許可を取り消す（Ｓ６ステップ）。
【００５７】
ライセンスの取消しにより別のライセンスで作成された解答データを排除できる。
【００５８】
解答時間が経過していない場合に、解答作成完了かを確認する（Ｓ７ステップ）。
【００５９】
解答作成未完了であれば、Ｓ５ステップに戻る。
【００６０】
受験者の解答が完了すると、受験者による解答完了キーの押下により、解答用ファイルのクローズ処理が行われ、ファイル格納部２２に格納される。
【００６１】
解答用指定ファイルのクローズ処理のときに、試験処理部２４は、ログ生成処理部２５により取得されている解答作成時間などを付加してファイル格納部２２に格納する。また、ＣＡＤライセンス使用許可を取り消す。
【００６２】
ライセンスの取消しにより別のライセンスで作成された解答データを排除できる。
【００６３】
このように解答作成時間に一定の制限を行うことで、定量的かつ画一的な実技試験などを行える。
【００６４】
次に、受験者は、試験端末２により、試験サーバ３と接続する。
【００６５】
試験サーバ３が、認証入力を要求する画面を送付してくるので受験者は、試験端末２に表示された認証入力画面に、端末ＩＤ、パスワードを入力後、送信キー押下により、試験サーバ３に認証データを送信する（Ｓ８ステップ）。
【００６６】
試験サーバ３は、試験端末２から認証データを受け取ると、認証処理部３３が、認証データと登録内容とが一致しているかどうかを確認する。一致していれば、試験端末２に対して、アップロード要求を送信する（Ｓ２２ステップ）。
【００６７】
試験端末２は、試験サーバ３からのアップロード要求を受信すると、試験処理部２４は、解答用指定ファイルをファイル格納部２２から取得し、試験サーバ３にアップロードする（Ｓ９ステップ）。
【００６８】
試験サーバ３は、アップロードデータを受信すると、試験時間管理部３２のデータをチェックして、試験時間が経過しているか否かを確認する（Ｓ２３ステップ）。
【００６９】
また、アップロードデータからライセンスキーを取り出し、正当な権限を有する受験者が作成したものか否かをチェックする。
【００７０】
このように、試験サーバ側で時間管理をすることで、試験端末２での試験完了から、解答データの提出までの時間の間に、受験者以外の人間により解答が作成されるような不正解答の提出を防止する。また、ライセンスキーを主催者が提供することにより、別のライセンスキーを使用して作成された解答データによる不正な解答提出も制限できる。
【００７１】
試験サーバ３の問題処理部３４は、時間経過をしている場合、ライセンスキーが異なる場合には、解答データを不受理とし、不受理の通知データを試験端末２に返送する（Ｓ２４ステップ）。
【００７２】
試験時間内であれば、自動採点し、その結果を通知する（Ｓ２５ステップ）。
【００７３】
通知内容は、模範解答および採点結果である。
【００７４】
試験端末２は、試験サーバ３から試験結果を受信する（Ｓ１０ステップ）。
【００７５】
このことにより間違えた部分を自己分析させ理解不測の部分を補えるようにしている。
【００７６】
採点する場合、パラメータの残るＣＡＤツールの場合は、データに残されている作業手順や作成された形状を参照して模範解答と照合しながら、出題意図に合致しているかを評価して、自動採点する。
【００７７】
この結果、提出された解答をシステム内で自動採点することで、採点者によって偏ることのない定量的な評価を行うことが可能である。
【００７８】
図３にパラメータの残るＣＡＤの説明図を示す。
【００７９】
受験者の提出した機構部品についてのＣＡＤ設計した解答について、作業履歴に残されている、作成時に使用した各コマンドの種類や順序、コマンド内のパラメータ値および作成した部品形状が出題者の意図に合致しているかどうかを判定する。
【００８０】
出題意図とは、設計変更に対応した作成手順であるか、他の人に容易に設計意図が伝わるか、的確なコマンドが的確な順序で使用されているか、指定通りの寸法に作成されているか、作成基準位置は守られているか等のことをいう。
【００８１】
すなわち、図３（ａ）の模範解答例に示す場合には、コマンド”ＨＯＬＬＯＷ“(くり抜く)の使用の有無およびこのコマンドに至る使用順序が出題意図として大きなポイントである。作業履歴として５手順で設計されていることが模範解答である。
【００８２】
一方、図３（ｂ）の受験者の解答例では、形状は、模範解答例と同じであるが、途中経過（フィーチャパラメータ）が異なる。
【００８３】
すなわち、解答例ではコマンド”ＨＯＬＬＯＷ“を使用しておらず、かつ作業手順が、模範解答例の５手順に比べて、長い９手順のため解答としては適切でなく、減点となる。
【００８４】
また、非パラメータ系のＣＡＤツールの場合は、作成された形状と、模範解答の形状を重ね合わせることで、模範解答との差異部分を自動抽出し、それを評価して自動採点する。
【００８５】
図４に、パラメータの残らないＣＡＤの説明図を示す。
【００８６】
各コマンドの使用履歴としてのパラメータ情報は残っていないので、双方の形状を、ある基準点で重ね、各部分を一定のブロックに区切って各部分の模範解答との差異部分を検出する。
【００８７】
本例では、次のような５ブロックに区切って採点している。
【００８８】
すなわち、箱形状の外形部分、コーナ部分のＲ処理、円筒部分、穴部分、肉厚み部分である。解答例では、比較した結果、穴部分で差異を検出しており、解答として適切ではなく、減点となる。
【産業上の利用可能性】
【００８９】
インターネット等のネットワークを利用したＣＡＤの実技試験が可能となる。
【図面の簡単な説明】
【００９０】
【図１】実施例のＣＡＤ試験システムの構成図
【図２】実施例のＣＡＤ試験システムの処理の流れ図
【図３】パラメータ使用ＣＡＤの説明図
【図４】パラメータ未使用ＣＡＤの説明図
【符号の説明】
【００９１】
１        ＣＡＤ試験システム
２        試験端末
３        試験サーバ
２１        送受信処理部
２２        ファイル格納部
２３        ＣＡＤツール
２４        試験処理部
２５        ログ生成処理部
２６        認証入力処理部
２７        時間計測処理部
３１        回線処理部
３２        試験時間管理部
３３        認証処理部
３４        問題処理部
３５        ログ取得処理部
３６        自動採点処理部
【図１】
2005092293.tif 000003
【図２】
2005092293.tif 000004
【図３】
2005092293.tif 000005
【図４】
2005092293.tif 000006